(57)【要約】【課題】簡易な入力操作にて、迅速に、ユーザの希望する情報を提供することができる情報提供システムを提供すること。【解決手段】ユーザが操作する情報通信端末に対して所定のコンテンツ情報を送信する情報提供サーバであって、ウェブサイトに対するユーザ毎の閲覧状況を表すアクセス履歴情報を記憶するアクセス履歴情報記憶手段と、ユーザが情報通信端末に装備された所定の操作ボタンを押下することで当該情報通信端末からネットワークを介して送信されたユーザ識別情報を取得するユーザ情報取得手段と、取得したユーザ識別情報に対応するユーザのアクセス履歴情報に基づいてネットワークを介して接続されたウェブサイトから所定のコンテンツ情報を収集するコンテンツ収集手段と、収集されたコンテンツ情報を情報通信端末に送信するコンテンツ送信手段と、を備えた。【選択図】図１
2008197858.tif 000002
【特許請求の範囲】
【請求項１】
ユーザが操作する情報通信端末に対して所定のコンテンツ情報を送信する情報提供サーバであって、
ウェブサイトに対するユーザ毎の閲覧状況を表すアクセス履歴情報を記憶するアクセス履歴情報記憶手段と、
ユーザが情報通信端末に装備された所定の操作ボタンを押下することで当該情報通信端末からネットワークを介して送信されたユーザ識別情報を取得するユーザ情報取得手段と、
取得した前記ユーザ識別情報に対応するユーザの前記アクセス履歴情報に基づいてネットワークを介して接続されたウェブサイトから所定のコンテンツ情報を収集するコンテンツ収集手段と、
収集された前記コンテンツ情報を前記情報通信端末に送信するコンテンツ送信手段と、
を備えたことを特徴とする情報提供サーバ。
【請求項２】
前記ユーザ情報取得手段は、ユーザが情報通信端末の前記所定の操作ボタンを押下することで情報通信端末にて取得され、前記ユーザ識別情報と共にネットワークを介して送信された前記情報通信端末の位置情報を取得し、
前記コンテンツ収集手段は、前記アクセス履歴情報及び前記位置情報に基づいてネットワークを介して接続されたウェブサイトから所定のコンテンツ情報を収集する、
ことを特徴とする請求項１記載の情報提供サーバ。
【請求項３】
前記ユーザ情報取得手段は、前記情報通信端末から前記位置情報を取得した時刻を表す時刻情報を取得し、
前記コンテンツ収集手段は、前記アクセス履歴情報、前記位置情報及び前記時刻情報に基づいてネットワークを介して接続されたウェブサイトから所定のコンテンツ情報を収集する、
ことを特徴とする請求項２記載の情報提供サーバ。
【請求項４】
コンテンツ情報の種類を表すカテゴリ情報を記憶したカテゴリ情報記憶手段を備えると共に、
前記コンテンツ収集手段は、前記アクセス履歴情報、前記位置情報、前記時刻情報のうち少なくとも１の情報に基づいて前記カテゴリ情報を選定するカテゴリ選定手段と、選定された前記カテゴリ情報に対応する種類のコンテンツ情報を前記ウェブサイトから取得するコンテンツ取得手段と、を備えた、
ことを特徴とする請求項３記載の情報提供サーバ。
【請求項５】
前記コンテンツ収集手段は、前記アクセス履歴情報、前記位置情報、前記時刻情報のうち少なくとも１の情報に基づいて、前記カテゴリ選定手段にて選定された前記カテゴリ情報の優先度を決定する優先度決定手段を備えると共に、
前記コンテンツ送信手段は、前記コンテンツ取得手段にて取得された前記コンテンツ情報が、前記優先度決定手段にて決定された前記カテゴリ情報の優先度に基づく順番で前記情報通信端末に表示されるよう当該情報通信端末に送信する、
ことを特徴とする請求項４記載の情報提供サーバ。
【請求項６】
前記アクセス履歴情報は、前記ユーザの所定のウェブサイトに対する、アクセス頻度を表す情報、日時毎のアクセス状況を表す情報、閲覧時間を表す情報、ウェブサイトの種別毎のアクセス状況を表す情報、のうち少なくとも１つを含む、
ことを特徴とする請求項１，２，３，４又は５記載の情報提供サーバ。
【請求項７】
ユーザ毎の前記情報通信端末からの種々のウェブサイトへのアクセス時に、当該ウェブサイトに対するアクセス状況を表す情報を取得して、前記アクセス履歴情報記憶手段に前記アクセス履歴情報として蓄積するアクセス情報取得手段を備えた、
ことを特徴とする請求項１，２，３，４，５又は６記載の情報提供サーバ。
【請求項８】
ユーザが操作する情報通信端末と、この情報通信端末に対してネットワークを介して所定のコンテンツ情報を送信する情報提供サーバと、を備えた情報提供システムであって、
前記情報通信端末が、当該情報通信端末に装備された所定の操作ボタンがユーザにて押下されたときにユーザ識別情報を前記情報提供サーバに送信するユーザ情報送信手段を備え、
前記情報提供サーバが、
ウェブサイトに対するユーザ毎の閲覧状況を表すアクセス履歴情報を記憶するアクセス履歴情報記憶手段と、
前記情報通信端末から送信された前記ユーザ識別情報を取得するユーザ情報取得手段と、
取得した前記ユーザ識別情報に対応するユーザの前記アクセス履歴情報に基づいてネットワークを介して接続されたウェブサイトから所定のコンテンツ情報を収集するコンテンツ収集手段と、
収集された前記コンテンツ情報を前記情報通信端末に送信するコンテンツ送信手段と、を備えた、
ことを特徴とする情報提供システム。
【請求項９】
前記情報通信端末の前記ユーザ情報送信手段は、前記所定の操作ボタンがユーザにて押下されたときに情報通信端末の位置情報を取得し、前記ユーザ識別情報と共に前記情報提供サーバに送信し、
前記情報提供サーバの前記ユーザ情報取得手段は、前記情報通信端末から前記ユーザ識別情報と共に送信された前記情報通信端末の位置情報を取得し、
前記情報提供サーバの前記コンテンツ収集手段は、前記アクセス履歴情報及び前記位置情報に基づいてネットワークを介して接続されたウェブサイトから所定のコンテンツ情報を収集する、
ことを特徴とする請求項８記載の情報提供システム。
【請求項１０】
前記情報提供サーバの前記ユーザ情報取得手段は、前記情報通信端末から前記位置情報を取得した時刻を表す時刻情報を取得し、
前記コンテンツ収集手段は、前記アクセス履歴情報、前記位置情報及び前記時刻情報に基づいてネットワークを介して接続されたウェブサイトから所定のコンテンツ情報を収集する、
ことを特徴とする請求項９記載の情報提供システム。
【請求項１１】
コンピュータにて、ネットワークを介して接続されたユーザが操作する情報通信端末に対して所定のコンテンツ情報を送信する情報提供方法であって、
ユーザが情報通信端末に装備された所定の操作ボタンを押下することで当該情報通信端末からネットワークを介して送信されたユーザ識別情報を取得するユーザ情報取得工程と、
予め前記コンピュータに記憶されたウェブサイトに対するユーザ毎の閲覧状況を表すアクセス履歴情報のうち前記ユーザ情報取得工程にて取得した前記ユーザ識別情報に対応するユーザの前記アクセス履歴情報に基づいて、ネットワークを介して接続されたウェブサイトから所定のコンテンツ情報を収集するコンテンツ収集工程と、
収集された前記コンテンツ情報を前記情報通信端末に送信するコンテンツ送信工程と、
を有することを特徴とする情報提供方法。
【請求項１２】
コンピュータに、
ユーザが情報通信端末に装備された所定の操作ボタンを押下することで当該情報通信端末からネットワークを介して送信されたユーザ識別情報を取得するユーザ情報取得手段と、
予め前記コンピュータに記憶されたウェブサイトに対するユーザ毎の閲覧状況を表すアクセス履歴情報のうち前記ユーザ情報取得手段にて取得した前記ユーザ識別情報に対応するユーザの前記アクセス履歴情報に基づいて、ネットワークを介して接続されたウェブサイトから所定のコンテンツ情報を収集するコンテンツ収集手段と、
収集された前記コンテンツ情報を前記情報通信端末に送信するコンテンツ送信手段と、
を実現させるためのプログラム。
【発明の詳細な説明】
【技術分野】
【０００１】
本発明は、情報提供システムにかかり、特に、ユーザが使用する情報通信端末に対してサーバから種々のコンテンツ情報を提供する情報提供システムに関する。
【背景技術】
【０００２】
近年、携帯電話の普及、及び、インターネット技術の向上により、ユーザは携帯電話にてウェブサイトを閲覧することが一般的になっており、携帯電話向けのウェブサイトが多く開設されている。そして、ユーザが携帯電話から目的の情報やコンテンツを入手する際には、カテゴリ分けされたメニューをたどる操作や、検索エンジンを用いた操作、を行う必要があった。
【０００３】
【特許文献１】特再表２００４／１１１８８０号公報
【特許文献２】特開２００４−１５３３９８号公報
【発明の開示】
【発明が解決しようとする課題】
【０００４】
しかしながら、上述したような操作を行うことは、目的の情報にたどり着くまで多くの時間と操作を有するため、ユーザが情報取得に急いでいる場合には、上記操作を行って様々な手順を踏む余裕はなく、迅速に情報を得られない、という不都合があった。また、目的のサイトのアドレスを「お気に入り登録」として端末内に記憶しておく方法もあるが、お気に入り登録が複数に至る場合には、その中から必要な情報を選択するという作業が必要となり、依然として迅速かつ簡易な操作にて所望の情報を得ることができない、という問題があった。
【０００５】
一方で、情報取得を容易にする技術が、上記特許文献に開示されている。例えば、特許文献１には、カーナビゲーションと連動したユーザ端末に対して簡便入力することで、自己の位置情報を管理サーバに送信し、さらに、「この近辺のイベント情報」などと目的の情報分野をマイクで入力することで、通知した位置情報に基づいて、近辺のイベント情報が検索され、イベントに関するサイトのアドレスをユーザ端末に通知する、という技術が開示されている。また、特許文献２には、携帯電話等によって位置情報を情報サーバに送信し、位置に関連する情報を取得する、という技術が開示されている。
【０００６】
しかしながら、上記特許文献１記載の技術では、位置情報は簡易な操作にて自動的に送信されるが、目的の情報分野をマイクにて入力する必要があり、操作が２段階となり、依然として簡易かつ迅速な情報収集ができない、という問題があった。また、特許文献１，２共に、ユーザに位置に関連する情報（例えば、文字情報（地名など））が提供されるだけであって、ユーザが頻繁に閲覧しているような希望する他の情報を簡易な操作で迅速に提供することができず、依然として利便性に欠ける、という問題があった。
【０００７】
このため、本発明では、上記従来例の有する不都合を改善し、特に、簡易な入力操作にて、迅速に、ユーザの希望する情報を提供することができる情報提供システムを提供する、ことをその目的とする。
【課題を解決するための手段】
【０００８】
そこで、本発明の一形態は、
ユーザが操作する情報通信端末に対して所定のコンテンツ情報を送信する情報提供サーバであって、
ウェブサイトに対するユーザ毎の閲覧状況を表すアクセス履歴情報を記憶するアクセス履歴情報記憶手段と、
ユーザが情報通信端末に装備された所定の操作ボタンを押下することで当該情報通信端末からネットワークを介して送信されたユーザ識別情報を取得するユーザ情報取得手段と、
取得したユーザ識別情報に対応するユーザのアクセス履歴情報に基づいてネットワークを介して接続されたウェブサイトから所定のコンテンツ情報を収集するコンテンツ収集手段と、
収集されたコンテンツ情報を情報通信端末に送信するコンテンツ送信手段と、
を備えたことを特徴としている。
【０００９】
上記発明によると、まず、情報提供サーバには、予めユーザによるウェブサイトの閲覧状況を表すアクセス履歴情報がユーザ毎に記憶されている。そして、ユーザは、コンテンツ情報の取得を必要とするときに情報通信端末に設けられた所定のボタンを押下することで、自動的にユーザ識別情報が情報提供サーバに送信される。すると、情報取得サーバは、取得したユーザ識別情報に対応するユーザのアクセス履歴情報を読み出し、このアクセス履歴情報、つまり、ユーザの過去のウェブサイト閲覧状況に基づいて、ネットワーク上のウェブサイトから種々のコンテンツ情報を収集する。そして、これら収集されたコンテンツ情報を情報通信端末に送信することで、ユーザは情報通信端末にてコンテンツ情報を閲覧することができる。従って、ユーザは、ボタンを押下するといった簡易な操作のみでこれまでのウェブサイトの閲覧状況に基づいたコンテンツ情報が提供されるため、ユーザは必要としうる情報を簡易かつ迅速に閲覧することができる。
【００１０】
そして、上記構成に加え、ユーザ情報取得手段は、ユーザが情報通信端末の所定の操作ボタンを押下することで情報通信端末にて取得され、ユーザ識別情報と共にネットワークを介して送信された情報通信端末の位置情報を取得し、コンテンツ収集手段は、アクセス履歴情報及び位置情報に基づいてネットワークを介して接続されたウェブサイトから所定のコンテンツ情報を収集する、ことを特徴としている。さらに、ユーザ情報取得手段は、情報通信端末から位置情報を取得した時刻を表す時刻情報を取得し、コンテンツ収集手段は、アクセス履歴情報、位置情報及び時刻情報に基づいてネットワークを介して接続されたウェブサイトから所定のコンテンツ情報を収集する、ことを特徴としている。
【００１１】
これにより、ユーザが情報通信端末の所定のボタンを押下すると、ＧＰＳや基地局情報から情報通信端末の位置情報が取得されて、この位置情報がユーザ識別情報と共に情報提供サーバに送信される。すると、情報提供サーバでは、取得したユーザ識別情報に対応するユーザのアクセス履歴情報を読み取り、このアクセス履歴情報と取得した位置情報とに基づいてコンテンツ情報を収集する。また、位置情報を取得した時刻情報を取得して、この時刻情報にも基づいてコンテンツ情報を収集する。そして、収集したコンテンツ情報を情報通信端末に送信することで、ユーザは、現在位置や現在時刻にも対応したコンテンツ情報を閲覧することができる。従って、ユーザにとってより必要とされる情報が簡易な操作で迅速に提供されるため、さらなる利便性の向上を図ることができる。
【００１２】
また、上記構成に加え、コンテンツ情報の種類を表すカテゴリ情報を記憶したカテゴリ情報記憶手段を備えると共に、コンテンツ収集手段は、アクセス履歴情報、位置情報、時刻情報のうち少なくとも１の情報に基づいてカテゴリ情報を選定するカテゴリ選定手段と、選定されたカテゴリ情報に対応する種類のコンテンツ情報をウェブサイトから取得するコンテンツ取得手段と、を備えた、ことを特徴としている。さらに、コンテンツ収集手段は、アクセス履歴情報、位置情報、時刻情報のうち少なくとも１の情報に基づいて、カテゴリ選定手段にて選定されたカテゴリ情報の優先度を決定する優先度決定手段を備えると共に、コンテンツ送信手段は、コンテンツ取得手段にて取得されたコンテンツ情報が、優先度決定手段にて決定されたカテゴリ情報の優先度に基づく順番で情報通信端末に表示されるよう当該情報通信端末に送信する、ことを特徴としている。
【００１３】
これにより、情報提供サーバでは、コンテンツ情報を収集する際に、アクセス履歴情報、位置情報、時刻情報に基づいて、コンテンツの種類を表すカテゴリが選定され、そのカテゴリに属するコンテンツ情報を収集する。従って、カテゴリ毎に収集されたコンテンツがユーザに提供されるため、ユーザは必要としうる情報を幅広く取得することができる。また、カテゴリの優先度を決定してその順番で表示されるよう情報通信端末に送信することで、ユーザは必要としている順にコンテンツを閲覧することができ、さらなる利便性の向上を図ることができる。
【００１４】
また、上記アクセス履歴情報は、ユーザの所定のウェブサイトに対する、アクセス頻度を表す情報、日時毎のアクセス状況を表す情報、閲覧時間を表す情報、ウェブサイトの種別毎のアクセス状況を表す情報、のうち少なくとも１つを含む、ことを特徴としている。さらに、ユーザ毎の情報通信端末からの種々のウェブサイトへのアクセス時に、当該ウェブサイトに対するアクセス状況を表す情報を取得して、アクセス履歴情報記憶手段にアクセス履歴情報として蓄積するアクセス情報取得手段を備えた、ことを特徴としている。
【００１５】
これにより、より詳細なユーザのアクセス行動に基づいてコンテンツ情報が収集されて提供されるため、より適切なコンテンツ情報を提供することができ、ユーザのさらなる利便性の向上を図ることができる。また、常時、ユーザのウェブサイトアクセス状況を情報通信端末から取得して蓄積することで、さらにユーザに閲覧状況に適したコンテンツ情報の提供を実現できる。
【００１６】
また、本発明の他の形態は、
ユーザが操作する情報通信端末と、この情報通信端末に対してネットワークを介して所定のコンテンツ情報を送信する情報提供サーバと、を備えた情報提供システムであって、
情報通信端末が、当該情報通信端末に装備された所定の操作ボタンがユーザにて押下されたときにユーザ識別情報を情報提供サーバに送信するユーザ情報送信手段を備え、
情報提供サーバが、ウェブサイトに対するユーザ毎の閲覧状況を表すアクセス履歴情報を記憶するアクセス履歴情報記憶手段と、情報通信端末から送信された前記ユーザ識別情報を取得するユーザ情報取得手段と、取得したユーザ識別情報に対応するユーザのアクセス履歴情報に基づいてネットワークを介して接続されたウェブサイトから所定のコンテンツ情報を収集するコンテンツ収集手段と、収集されたコンテンツ情報を情報通信端末に送信するコンテンツ送信手段と、を備えた、ことを特徴としている。
【００１７】
また、上記構成に加え、情報通信端末のユーザ情報送信手段は、所定の操作ボタンがユーザにて押下されたときに情報通信端末の位置情報を取得し、ユーザ識別情報と共に情報提供サーバに送信し、情報提供サーバのユーザ情報取得手段は、情報通信端末からユーザ識別情報と共に送信された情報通信端末の位置情報を取得し、情報提供サーバのコンテンツ収集手段は、アクセス履歴情報及び位置情報に基づいてネットワークを介して接続されたウェブサイトから所定のコンテンツ情報を収集する、ことを特徴としている。さらに、情報提供サーバのユーザ情報取得手段は、情報通信端末から位置情報を取得した時刻を表す時刻情報を取得し、コンテンツ収集手段は、アクセス履歴情報、位置情報及び時刻情報に基づいてネットワークを介して接続されたウェブサイトから所定のコンテンツ情報を収集する、ことを特徴としている。
【００１８】
また、本発明の他の形態は、
コンピュータにて、ネットワークを介して接続されたユーザが操作する情報通信端末に対して所定のコンテンツ情報を送信する情報提供方法であって、
ユーザが情報通信端末に装備された所定の操作ボタンを押下することで当該情報通信端末からネットワークを介して送信されたユーザ識別情報を取得するユーザ情報取得工程と、
予めコンピュータに記憶されたウェブサイトに対するユーザ毎の閲覧状況を表すアクセス履歴情報のうちユーザ情報取得工程にて取得したユーザ識別情報に対応するユーザのアクセス履歴情報に基づいて、ネットワークを介して接続されたウェブサイトから所定のコンテンツ情報を収集するコンテンツ収集工程と、
収集されたコンテンツ情報を情報通信端末に送信するコンテンツ送信工程と、
を有することを特徴としている。
【００１９】
さらに、本発明の他の形態は、
コンピュータに、
ユーザが情報通信端末に装備された所定の操作ボタンを押下することで当該情報通信端末からネットワークを介して送信されたユーザ識別情報を取得するユーザ情報取得手段と、
予めコンピュータに記憶されたウェブサイトに対するユーザ毎の閲覧状況を表すアクセス履歴情報のうちユーザ情報取得手段にて取得したユーザ識別情報に対応するユーザの前記アクセス履歴情報に基づいて、ネットワークを介して接続されたウェブサイトから所定のコンテンツ情報を収集するコンテンツ収集手段と、
収集されたコンテンツ情報を情報通信端末に送信するコンテンツ送信手段と、
を実現させるためのプログラムである。
【００２０】
上述した構成のシステム、方法、プログラムの発明であっても、上記情報提供サーバと同様に作用するため、上述した本発明の目的を達成することができる。
【発明の効果】
【００２１】
本発明は、以上のように構成され機能するので、これによると、ユーザが情報通信端末のボタンを押下するといった簡易な操作のみで、これまでのウェブサイトの閲覧状況に基づいたコンテンツ情報が情報通信端末に提供されるため、ユーザは必要としうる情報を簡易かつ迅速に閲覧することができ、利便性の向上を図ることができる、という従来にない優れた効果を有する。
【発明を実施するための最良の形態】
【００２２】
本発明は、携帯電話などの通信可能な情報通信端末にて、ユーザが所定のボタンを押下するといった簡易な操作のみで、情報提供サーバからユーザに適した情報が迅速に提供される、という点に特徴を有する。以下、具体的なシステムの構成及び動作を、実施例にて説明する。なお、以下では、ユーザが操作する情報通信端末は携帯電話機であることとして説明するが、情報提供サーバと通信可能であれば、いかなる情報処理端末を利用してもよい。例えば、ＰＤＡやノートパソコン、携帯型ゲーム端末なども利用可能である。
【実施例１】
【００２３】
本発明の第１の実施例を、図１乃至図９を参照して説明する。図１は、情報提供システム全体の構成を示すブロック図である。図２は、携帯電話の外観を示す図であり、図３は、その内部構成を示す機能ブロック図である。図４は、情報提供サーバの構成を示す機能ブロック図である。図５乃至図６は、情報提供システムの動作を示すシーケンス図であり、図７は、動作を示す説明図である。図８は、従来例と比較した本発明の効果を示す説明図である。図９は、ユーザの情報取得例を示す説明図である。
【００２４】
［構成］
まず、本実施例における情報提供システム全体の構成を、図１を参照して説明する。この図に示すように、ユーザＵが操作する携帯電話１は、携帯電話網Ｎ１を介して情報提供サーバ２と通信可能なよう接続されている。また、情報提供サーバ２及び携帯電話１は、インターネット網Ｎ２を介して種々のウェブサーバ３と通信可能なよう接続されている。なお、情報提供サーバ２は、携帯電話１と通信可能であれば、インターネット網Ｎ２上に設置されていてもよい。以下、各構成について詳述する。
【００２５】
まず、携帯電話１の構成について、図２乃至図３を参照して説明する。携帯電話１（情報通信端末）は、図２に示すように、操作部１０と表示部とを備えた一般的な携帯電話機である。特に、本実施例では、操作部１０に、後述するように一度の押下（ワンプッシュ）でネットワークを介してコンテンツ情報を取得できるボタンである情報取得ボタン１１（所定の操作ボタン）が形成されている。なお、情報取得ボタン１１は、携帯電話１のいかなる場所に設けられていてもよい。
【００２６】
また、携帯電話１０のＣＰＵといった演算装置には、所定のプログラムが組み込まれることにより、図３に示すように、操作受付処理部１２と、位置情報取得処理部１３と、情報要求処理部１４と、情報受信処理部１５と、表示処理部１６と、が構築されている。
【００２７】
操作受付処理部１２は、上述した情報取得ボタン１１が押下（ワンプッシュ）されたことを検知して、その旨を位置情報取得処理部１３あるいは情報要求処理部１４に通知する。例えば、携帯電話１の待ち受け画面表示時に情報取得ボタン１１が押下されたことを検知すると、位置情報取得処理部１３にその旨を通知する。また、後述するように、情報提供サーバ２から送信されたコンテンツ情報を表示部に表示し、このうち特定のコンテンツ情報が選択された状態で情報取得ボタン１１が押下されたことを検知すると、特定のコンテンツ情報が選択された旨の情報を情報要求処理部１４に通知する。
【００２８】
また、位置情報取得処理部１３は、上述したように操作受付処理部１２から情報取得ボタン１１が押下された旨の通知を受けると、搭載しているＧＰＳアンテナを介して自身の位置情報を取得し、あるいは、基地局と通信をして自身の位置情報を取得し、情報要求処理部１４に通知する。
【００２９】
情報要求処理部１４（ユーザ情報送信手段）は、上述したように情報取得ボタン１１が押下されたことにより、位置情報取得処理部１３から通知された位置情報と、予め記憶しているユーザ固有の識別情報であるユーザＩＤと、情報提供サーバ２に送信して、情報提供を要求する。また、情報要求処理部１４は、上述したように操作受付処理部１２から情報取得ボタン１１が押下されて特定のコンテンツ情報が選択された旨の通知を受けると、この選択されたコンテンツ情報の詳細をさらに要求する旨を情報提供サーバ２に通知する。なお、このときには、選択したコンテンツを特定する情報は、ユーザのアクセス傾向情報として情報提供サーバ２に蓄積される。さらに、情報要求処理部１４は、通常のウェブサイトの閲覧時にも情報提供サーバ２を介してコンテンツ情報を要求するよう作動する。この場合にも、ユーザによるウェブサイト閲覧傾向が情報提供サーバ２に蓄積される。
【００３０】
情報受信処理部１５は、上述したように、情報要求処理部１４にて情報提供サーバ２に情報提供を要求した場合に、その後、当該情報提供サーバ２から送信されるコンテンツ情報を受信する。このコンテンツ情報は、後述するように、ユーザＵのこれまでのウェブサイトの閲覧傾向や、要求したときの位置及び時刻に応じた種類のコンテンツ情報が含まれており、コンテンツ情報の種類毎（カテゴリ毎）に表示されている。また、情報受信処理部１５は、コンテンツ情報を選択してさらに情報提供サーバ２に要求した場合に、その発信元であるウェブサイトを開設するウェブサーバ３から詳細なコンテンツ情報を受信する。
【００３１】
また、表示処理部１６は、情報受信処理部１５にて受信した情報提供サーバ２からのコンテンツ情報、あるいは、ウェブサーバ３から直接受信したウェブサイトの詳細なコンテンツ情報を、表示部に表示する。
【００３２】
次に、図４を参照して、情報提供サーバ２の構成について説明する。情報提供サーバ２は、一般的なサーバコンピュータであり、ＣＰＵといった演算装置には、所定のプログラムが組み込まれることで、ユーザ情報受信処理部２１と、情報フィルタリング処理部２２と、ソート処理部２３と、情報取得処理部２４と、情報提供処理部２５と、情報要求受付処理部２６と、が構築されている。また、ハードディスクドライブなどの記憶装置には、カテゴリデータベース２７と、ユーザデータベース２８と、が構築されている。以下、各処理部２１〜２６及び各データベース２７，２８について説明する。
【００３３】
まず、カテゴリデータベース２７（カテゴリ情報記憶手段）には、予め設定されたコンテンツ情報の種類を表すカテゴリ情報が記憶されている。カテゴリ情報としては、例えば、・天気予報（利用者の現在地の天気、週間天気）、・今日のニュース（重要度の高いものをトピック形式）、・時刻表（最寄り駅の直近時間の時刻表）、・駅情報（近隣の駅までの時間）、・終電情報、・株価情報（日経平均、その人の保有している株価の情報）、・飲食店情報（利用者の現在地の近隣情報）、・ワンポイントアドバイス豆知識情報、・TV番組情報、・映画公開情報、・WEBメール、・SNS、・WEBスケジュール帳、・一般サイト（一般サイトのトピックを表示）、・緊急発信、などに分類された情報が記憶されている。
【００３４】
また、ユーザデータベース２８（アクセス履歴情報記憶手段）には、ユーザ毎のウェブサイトに対する閲覧状況を表すアクセス傾向情報（アクセス履歴情報）が記憶されている。つまり、ユーザを特定する識別情報であるユーザＩＤと関連付けられて、当該ユーザのウェブサイトに対するアクセス傾向が記憶されている。このアクセス傾向情報としては、例えば、・アクセス頻度、・曜日ごとのアクセス傾向（曜日ごとのアクセス頻度／頻度は少ないが毎週決まった時間にアクセスがあるなど）、・時間帯ごとのアクセス傾向（時間帯ごとのアクセス頻度／頻度は少ないが毎日決まった時間にアクセスがあるなど）、・サイト滞在時間、・訪問サイトのジャンル別訪問頻度、などの情報である。このアクセス履歴情報は、例えば、携帯電話１にてユーザがウェブサイトにアクセスする際には、必ず情報提供サーバ２を経由するよう設定することで、取得可能となる。具体的には、上述した携帯電話１は、ウェブサイトの閲覧を要求する際には、必ず情報要求処理部１４にて情報提供サーバ２に対して要求する。すると、情報提供サーバ２の情報要求受付処理部２６は、閲覧要求を受けたウェブサーバ３に対してコンテンツ情報を提供するよう通知すると共に、要求を受けたリクエスト内容に基づいてアクセスサイトのカテゴリ（ジャンル）を認識し、これに基づいて上述したようなアクセス傾向情報を生成してユーザ毎に蓄積する機能を有する。
【００３５】
次に、ユーザ情報受信処理部２１（ユーザ情報取得手段）は、上述したように携帯電話１の情報取得ボタン１１が押下されたときに当該携帯電話１１から送信されたユーザＩＤと位置情報とを受信し、情報フィルタリング処理部２２に通知する。また、ユーザ情報受信処理部２１は、携帯電話１からユーザＩＤ及び位置情報を取得したときの時刻情報を、ＮＴＰサーバなどから取得して、情報フィルタリング処理部２２に通知する。
【００３６】
情報フィルタリング処理部２２は、受信したユーザＩＤに基づいて、当該ユーザＩＤに対応するユーザのアクセス傾向情報をユーザデータベース２８から検索して読み出す。そして、上述したように、携帯電話１から受信した位置情報、この位置情報を受信したときの時刻情報、さらには、ユーザＩＤに対応したユーザのアクセス傾向情報、に基づいて、カテゴリデータベース２７内のカテゴリ情報を選定していく機能（カテゴリ選定手段）を有する。つまり、上記位置情報、時刻情報、アクセス傾向情報に関連したカテゴリに絞り込んでいく。
【００３７】
また、ソート処理部２２（優先度決定手段）は、上述同様に、位置情報、時刻情報、アクセス傾向情報に基づいて、選定したカテゴリ情報の順序を定める優先度を決定する機能を有する。つまり、ユーザの位置や時刻、アクセス傾向に関連性の高いカテゴリ情報を優先的にかつ閲覧しやすいよう提供するために、選択されたカテゴリ情報の順序の並び替えを行う。
【００３８】
そして、情報取得処理部２４（コンテンツ取得手段）は、選択されソートされたカテゴリ情報のカテゴリに含まれるウェブサイトを開設しているウェブサーバ３にアクセスし、コンテンツ情報を取得して、各カテゴリ毎のコンテンツ情報として収集する。このように、情報提供サーバ２にて、インターネットＮ２上のウェブサーバ３からコンテンツが収集される（コンテンツ収集手段）。
【００３９】
そして、情報提供処理部２５（コンテンツ送信手段）は、上述したようにウェブサーバ３から収集したコンテンツ情報を、携帯電話１に送信する。このとき、コンテンツ情報は、上述したように選定されソートされた順番で、各カテゴリのコンテンツ情報が携帯電話１で表示されるよう当該携帯電話１に送信する。
【００４０】
また、情報要求受付処理部２６（アクセス情報取得手段）は、上述したように送信されたコンテンツ情報のうち、さらに詳細な情報を要求すべくいずれかのコンテンツ情報が選択された状態で携帯電話１の情報取得ボタン１１が押下されると、コンテンツ情報のさらに詳細な情報を要求する旨の情報を受け付けて、このユーザのアクセス傾向情報としてユーザデータベース２８に蓄積する。そして、ウェブサーバ３に対して、コンテンツ情報を提供するよう指示する。これにより、例えば、情報提供処理部２５から提供されるコンテンツ情報は、ウェブサイトから提供されている情報の一部のみしか含まれていなかったが、その後、ユーザはウェブサイトの公式サイトにアクセスすることができ、さらに詳細な情報を閲覧することができる。
【００４１】
なお、上記情報提供サーバ２は、携帯電話１の機種に依存せずに、上記処理を行うよう構成されている。
【００４２】
［動作］
次に、上記構成の情報提供システムの動作を、図５乃至図６のシーケンス図、及び、図７の動作説明図を参照して説明する。
【００４３】
まず、ユーザＵは、情報が必要となったときに、携帯電話１の情報取得ボタン１１を一回押下（ワンプッシュ）する（ステップＳ１）。この押下によって、携帯電話１でＧＰＳなどを利用してその時点における”位置情報”が取得され（ステップＳ２）、位置情報とユーザＩＤが情報提供サーバ２に送信され、情報要求がなされる（ステップＳ３）。
【００４４】
そして、情報提供サーバ２が、位置情報及びユーザＩＤが含まれた情報要求を受信すると（ステップＳ４、ユーザ情報取得工程）、ＮＴＰサーバ４と同期している時刻に基づいて受信したときの時刻情報を取得し（ステップＳ５）、受信した位置情報に基づく位置にユーザＵが存在している時刻として認識する。また、受信したユーザＩＤに基づいて、そのユーザのアクセス傾向情報をユーザデータベース２８から読み取る（ステップＳ６）。
【００４５】
その後、カテゴリデータベース内のカテゴリ情報を読み出して、上記時刻情報、位置情報、アクセス傾向情報にてフィルタリングし、これら各情報に適合したカテゴリを抽出して選択する（ステップＳ８、カテゴリ選定工程）。例えば、図７に示すように、カテゴリデータベース内の全てのカテゴリ情報ＳＡ１から、まずは時刻情報に基づいてフィルタリングし（符号ＳＡ２：例えば、昼の時刻であれば、全ての時刻に関連する”ニュース”や”ランチ”などのカテゴリに絞り込む）、続いて、位置情報に基づいてフィルタリングし（符号ＳＡ３：例えば、位置情報に関係の無い地域に関連するカテゴリは破棄する）、最後に、アクセス傾向情報に基づいてフィルタリングする（符号ＳＡ４：例えば、ユーザＵがよくアクセスするサイトのカテゴリを残すよう絞り込む）。但し、カテゴリの選定順序は上述した順序に限定されない。
【００４６】
さらに、上述したように絞り込んだカテゴリを、アクセス傾向情報と照らし合わせ、利用者のアクセス傾向から利用者が必要と思われる可能性の高いカテゴリ順にソートする（ステップＳ９、図７の符号ＳＡ５、優先度決定工程）。例えば、このソートは、アクセス頻度だけではなく、曜日ごとのアクセス傾向や、頻度は少ないが毎日決まった時間にアクセスがあるなどの多角的なアクセス傾向情報を加味した上で決定される。
【００４７】
続いて、情報提供サーバ２は、ソートされた各カテゴリに関連するコンテンツ情報を収集するため、インターネットＮ２上でウェブサイト開設している種々のウェブサーバ３にアクセスし、コンテンツ情報を取得する（ステップＳ１０、コンテンツ取得工程、コンテンツ収集工程）。そして、収集されたコンテンツ情報は、情報提供サーバ２から携帯電話１に送信される（ステップＳ１１、コンテンツ送信工程）。このとき、上述したように、ソートされたカテゴリ順にてコンテンツ情報が表示されるよう送信されているため、携帯電話１の画面には、例えば図７の符号ＳＡ６に示すように、ソートされたカテゴリ順に、当該各カテゴリに属するコンテンツ情報が表示される（ステップＳ１２）。なお、上述したカテゴリのソートは、コンテンツ情報を取得してから携帯電話１に送信される前に行われてもよい。
【００４８】
但し、携帯電話１に表示されるコンテンツ情報は、ウェブサイトから公開されている情報の一部、つまり、各カテゴリのダイジェスト的な情報である。従って、さらに詳細な情報をユーザＵが得る場合の動作を、図６に示す。
【００４９】
ユーザＵは、表示されている情報について、さらに詳細な公式サイトレベルの情報が必要な場合は、例えば、上下ボタンにて表示されたカテゴリやコンテンツ自体を選択した状態で、再度、情報取得ボタン１１をワンプッシュすることで、それぞれの公式サイトへのアクセス要求が情報提供サーバ２に送信される（ステップＳ１３）。すると、情報提供サーバ２がかかる要求を受け付けるが（ステップＳ１４）、要求されている公式サイトを開設しているウェブサーバ３に対して情報要求がなされた旨の通知をすると共に（ステップＳ１５）、この要求に基づいてそのユーザＵのアクセス傾向情報を追加する（ステップＳ１６）。これにより、携帯電話１を操作するユーザのアクセス傾向がさらに蓄積され、以後、よりユーザに適したカテゴリのフィルタリングやソートが実行される。なお、要求を受けたウェブサーバ３は、要求されたサイトの情報を直接携帯電話１に送信する（ステップＳ１７）。これにより、ユーザＵは携帯電話１にて各カテゴリの詳細な情報を表示して閲覧することができる（ステップＳ１８）。
【００５０】
ここで、図８に、上述した本発明と従来例とにおいて、ユーザが目的とするコンテンツ情報にたどり着くまでの動作を比較説明する。
【００５１】
まず、従来例（１）は、キャリアポータルサイトからカテゴリを辿り検索する方法である（従来例（１）の上側）。この方法の場合、大きなカテゴリのくくりからリンクを辿ることで目的の情報に絞り込みを行う。従って、辿るリンク数にもよるが目的の情報に至るまでに数回〜十数回の操作が必要となる。さらに、カテゴリを辿った結果、目的の情報が必ずしも得られるとは限らない。また、従来例（１）において、検索エンジンを使う方法もある（従来例（１）の下側）。この場合は、まず検索ワードを入力する必要がある。次に検索された結果から目的の情報を得られるであろうサイトにアクセスし目的の情報に至る。この場合も入力から結果表示までに数回〜数十回の操作が必要となり、カテゴリを辿った結果目的の情報が必ずしも得られるとは限らない。また、従来例（２）では、お気に入りや検索サイト等が提供するマイページを利用する場合である。この場合には、実際にはお気に入り・マイページを開くまでの手順で数回の操作が必要となる。
【００５２】
一方で、本発明では、上述したように、最低限必要な目的の情報はワンプッシュ一操作で得ることができる。更に詳しい情報が必要な場合は、表示されたカテゴリをワンプッシュすることで公式のサイトへアクセスすることができる。つまり、目的の情報が得られるまでの操作と時間が大幅に短縮されることとなる。つまり、図８に示すａ時間あるいはｂ時間から、ｃ時間を引いた分だけ時間短縮を実現できる。
【００５３】
以上より、本発明では、ボタンを押下するといった簡易な操作のみでこれまでのウェブサイトの閲覧状況に基づいたコンテンツ情報が提供されるため、ユーザは必要としうる情報を簡易かつ迅速に閲覧することができる。このとき、ユーザの現在位置や現在時刻、さらには、より詳細なアクセス傾向情報等を参照して提供されるコンテンツが自動的に収集されるため、よりユーザにとって必要とされる情報が提供され、さらなる利便性の向上を図ることができる。
【００５４】
［利用例］
次に、ユーザによる実際の利用例を、図９を参照して説明する。図９は、利用者Ａが一日のうち、ある４つの時間帯（ａ：早朝、ｂ：正午、ｃ：夕方、ｄ：夜間）に、上記システムを利用したときの携帯電話における画面表示例である。
【００５５】
まず、利用者Ａが、平日早朝に携帯電話１の情報取得ボタン１１をワンプッシュすると、時間帯的に利用頻度の高い情報及び利用者の現在地に特化した情報を、利用者Ａのアクセス傾向情報であるウェブサイトの閲覧頻度や位置情報から判断して、符号（ａ）の画面に示すように、第一カテゴリに横浜地区の天気予報、第二カテゴリに早朝によく閲覧するニュース、第三カテゴリに時刻表情報が表示される。
【００５６】
また、利用者Ａが、平日正午に携帯電話１の情報取得ボタン１１をワンプッシュすると、上述同様に、時間帯や現在地、さらには、アクセス傾向情報に基づいて、符号（ｂ）の画面に示すように、第一カテゴリに近隣の飲食店情報、第二カテゴリに外出前の天気予報チェック、第三カテゴリに昼時間帯によく参照する株価情報が表示される。
【００５７】
また、利用者Ａが、平日夕方に携帯電話１の情報取得ボタン１１をワンプッシュすると、符号（ｃ）の画面に示すように、第一カテゴリに退社後の居酒屋情報、第二カテゴリにその日に実施されるスポーツ情報、第三カテゴリにテレビ番組情報が表示される。
【００５８】
さらに、利用者Ａが、平日夜間に携帯電話１の情報取得ボタン１１をワンプッシュすると、現在地が繁華街であることから判断し、符号（ｄ）の画面に示すように、第一カテゴリに終電情報、第二カテゴリにワンポイントアドバイス的な情報表示、第三カテゴリに代行運転情報等が表示される。
【００５９】
以上のように、本発明によると、ユーザがボタンを押下するといった簡易な操作を行うことで、今現在必要とするような情報が自動的に携帯電話に送信される。従って、ユーザは簡易かつ迅速に、価値ある情報を取得して閲覧することができる。
【産業上の利用可能性】
【００６０】
本発明である情報提供システムによると、携帯電話などの携帯通信端末ユーザに対して便利な情報サービスを提供することができ、産業上の利用可能性を有する。
【図面の簡単な説明】
【００６１】
【図１】情報提供システム全体の構成を示すブロック図である。
【図２】携帯電話の外観を示す図である。
【図３】携帯電話の内部構成を示す機能ブロック図である。
【図４】情報提供サーバの構成を示す機能ブロック図である。
【図５】情報提供システムの動作を示すシーケンス図である。
【図６】情報提供システムの動作を示すシーケンス図であり、図５の続きを示す。
【図７】情報提供システムの動作を示す説明図である。
【図８】従来例と比較した本発明の効果を示す説明図である。
【図９】ユーザの情報取得例を示す図である。
【符号の説明】
【００６２】
１  携帯電話
２  情報提供サーバ
３  ウェブサーバ
１０  操作部
１１  情報取得ボタン
１２  操作受付処理部
１３  位置情報取得処理部
１４  情報要求処理部
１５  情報受信処理部
１６  表示処理部
２１  ユーザ情報受信処理部
２２  情報フィルタリング処理部
２３  ソート処理部
２４  情報取得処理部
２５  情報提供処理部
２６  情報要求受付処理部
２７  カテゴリデータベース
２８  ユーザデータベース
Ｎ１  携帯電話網
Ｎ２  インターネット網
Ｕ  ユーザ
【図１】
2008197858.tif 000003
【図２】
2008197858.tif 000004
【図３】
2008197858.tif 000005
【図４】
2008197858.tif 000006
【図５】
2008197858.tif 000007
【図６】
2008197858.tif 000008
【図７】
2008197858.tif 000009
【図８】
2008197858.tif 000010
【図９】
2008197858.tif 000011